(57)【特許請求の範囲】
【請求項１】
所定間隔をおいて立設された断面Ｈ型の支柱と、前面側の左右側端部より張出部が張り出された防音パネルと、防音パネルに回動可能に取付けられた係止部材とを有し、防音パネルの張出部を支柱のフランジの外面に配置させると共に、係止部材を回動させて支柱の凹溝内に突出させ、もって張出部と係止部材との間にフランジを位置させることにより、防音パネルを支柱に固定する防音パネルの取付方法であって、前記係止部材に板バネ部が形成され、張出部と係止部材との間にフランジを位置させた際、板バネ部をフランジの内面に弾性押圧せしめるようになされ、該係止部材は平板状に延びる固定部の側端より、弾性変形可能な板バネ部が弧状に張り出されていることを特徴とする防音パネルの取付方法。
【請求項２】
請求項１に記載の防音パネルの取付方法によって、防音パネルが支柱に固定されたことを特徴とする防音壁。
【発明の詳細な説明】
【０００１】
【発明の属する技術分野】
本発明は、主として道路や鉄道の沿線等に沿って設置される防音パネルの取付方法及びこの取付方法によって防音パネルが支柱に固定された防音壁に関するものである。
【０００２】
【従来の技術】
従来、かかる防音パネルの取付方法としては、壁高欄等に所定間隔をおいて立設されたＨ型鋼からなる支柱の相対向する凹溝内に、まず防音パネルの左右側端部を嵌め込み、次いで凹溝と左右側端部との間に、防音パネルのガタツキを防止する板バネからなる係止部材を上端から打ち込むことにより、防音パネルを支柱に固定するようにする方法がある。
【０００３】
【発明が解決しようとする課題】
しかしながら前記の如き取付方法にあっては、防音パネルの左右側端部を支柱の相対向する凹溝内に嵌め込むためには、重く且つ大きな防音パネルを支柱の高さ以上に持ち上げ、そして持ち上げた状態で位置決めしつつ前記防音パネルを支柱の上端より凹溝内に落とし込み、さらに係止部材を支柱の上端から打ち込む必要がある等、施工性が極めて悪いものであり、又これと逆の作業となる防音パネルを支柱から取り外す際においても、施工性が極めて悪いものであった。
【０００４】
そこで本発明は、上記の如き問題を解決し、施工性のよい防音パネルの取付方法及び防音壁を提供せんとするものである。
【０００５】
【課題を解決するための手段】
上記目的を達成するために、本発明は次のような構成としている。すなわちこの発明に係る防音パネルの取付方法は、所定間隔をおいて立設された断面Ｈ型の支柱と、前面側の左右側端部より張出部が張り出された防音パネルと、防音パネルに回動可能に取付けられた係止部材とを有し、防音パネルの張出部を支柱のフランジの外面に配置させると共に、係止部材を回動させて支柱の凹溝内に突出させ、もって張出部と係止部材との間にフランジを位置させることにより、防音パネルを支柱に固定する防音パネルの取付方法であって、前記係止部材に板バネ部が形成され、張出部と係止部材との間にフランジを位置させた際、板バネ部をフランジの内面に弾性押圧せしめるようになされ、該係止部材は平板状に延びる固定部の側端より、弾性変形可能な板バネ部が弧状に張り出されていることを特徴とするものである。
【０００６】
本発明による防音パネルの取付方法は、まず断面Ｈ型の支柱を、隣り合う支柱の凹溝を相対向させて、互いに間隔を隔てて道路や鉄道等に沿って立設する。そしてこの支柱に固定する防音パネルをその取付位置まで持ち上げ、防音パネルの張出部を支柱のフランジの外面に配置させる。次いで、防音パネルに回動可能に取付けられた係止部材を回動させて支柱の凹溝内に突出させ、もって張出部と係止部材との間にフランジを位置させることにより、防音パネルを支柱に固定せんとするものである。
【０００７】
従って本発明によれば、防音パネルを支柱の高さ以上に持ち上げる必要がなく、防音パネルをその取付位置まで持ち上げればよく、又係止部材は、支柱の上端から打ち込む必要はなく、回動させて支柱の凹溝内に突出させればよいので、極めて施工性のよい取付方法である。又防音パネルの破損等により、防音パネルを支柱から取り外す場合は、係止部材を前記と逆方向に回動し、支柱の凹溝内から離脱させればよいので、取り外しが極めて容易である。
【０００８】
なお、上記発明において、係止部材に板バネ部が形成され、張出部と係止部材との間にフランジを位置させた際、板バネ部をフランジの内面に弾性押圧させるようにすれば、防音パネルの張出部が支柱のフランジの外面に圧接され、支柱に固定された防音パネルのガタツキが極めて効果的に防止される。
【０００９】
次に、本発明に係る防音壁は、前記の如き防音パネルの取付方法によって、防音パネルが支柱に固定されたことを特徴とするものであり、前記の如く施工性のよい防音パネルの取付方法を採用することにより、施工性よく設置することができる。
【００１０】
【発明の実施の形態】
次に、本発明の実施の形態について図面を参照し、具体的に説明する。
図１は本発明に係る防音パネルの取付方法によって設置された防音壁の実施の一形態を示す平面図、図２は図１の主要部の斜視図、図３は図１の係止部材の斜視図、図４は防音パネルの取付方法を示す主要部の断面図である。
【００１１】
図面において、１は支柱であり、外側面にフランジ１１が前後に相対向して設けられ、そのフランジ１１間が凹溝１２となされて、断面がＨ型となされたものであって、隣り合う支柱１の前記凹溝１２を相対向させて、互いに所定の間隔を隔てて道路や鉄道等に沿って複数立設される。
【００１２】
２は防音パネルであって、多数の開孔を有する前面板と遮音性を有する背面板との間に吸音材が内装された吸遮音タイプであってもよく、又ポリカーボネートやアクリル樹脂等の透光性合成樹脂板やガラス等の透光板からなる面板が枠材により支持された透視性を備えた遮音タイプや金属や合成樹脂からなる不透明な面板からなる非透視性の遮音タイプでもよく、その他吸音材からなる板状体、コンクリート等、防音性を有しておれば、防音パネルはその形態や材質、形状等は特に限定されるものではない。
【００１３】
防音パネル２は、前面側の左右側端部よりそれぞれ張出部２１が外方に張り出されると共に、左右角部に切欠孔２２が設けられている。
【００１４】
３は係止部材であり、一般には帯状のバネ板材を折曲することにより形成されたものであって、平板状に延びる固定部３１の側端より、弾性変形可能な板バネ部３２が弧状に張り出されると共に、さらに固定部３１の下端より固定部３１に対して直角に延びる係止部３３と、さらにその係止部３３より直角に延びる挿入部３４とが設けられている。
【００１５】
上記形態による防音パネル２は、前記係止部材３により、図４で示される如く、以下の取付方法により支柱１に固定される。
【００１６】
まず、断面Ｈ型の複数の支柱１を、隣り合う支柱１の凹溝１２を相対向させて、互いに所定の間隔を隔てて道路や鉄道等に沿って立設する。
【００１７】
そしてこの支柱１に固定する防音パネル２をその取付位置まで持ち上げ、防音パネル２の張出部２１を、支柱１の取付けようとするフランジ１１の外面に対向配置させると共に、図４（イ）の如く係止部材３の挿入部３４より防音パネル２の切欠孔２２に挿入し、固定部３１を上方に起立させた状態で、係止部材３を防音パネル２の角部に取付ける。この際、前記切欠孔２２の大きさは、取付けられた係止部材３が支柱１の凹溝１２方向に回動可能となるような大きさとする。
【００１８】
係止部材３は、防音パネル２の張出部２１を支柱１のフランジ１１の外面に配置させた後に、防音パネル２に取付けてもよいし、あらかじめ係止部材３を防音パネル２に取付け、しかる後に、防音パネル２を持ち上げてその張出部２１を支柱１のフランジ１１の外面に配置させてもよい。
【００１９】
次いで、図４（ロ）の如く係止部材３を凹溝１２方向に回動させ、固定部３１を倒伏させる。この回動によって、係止部材３の固定部３１を凹溝１２内に突出させると共に、係止部３３を切欠孔２２の壁部２３に係止させ、係止部材３が切欠孔２２から抜けでないようにする。かようにして、固定部３１を凹溝１２内に突出させ、もって張出部２１と係止部材３との間に支柱１のフランジ１１を位置させることにより、防音パネル２は支柱１に固定される。
【００２０】
さらに、本形態においては、固定部３１の側端より弾性変形可能な板バネ部３２が弧状に張り出されているので、張出部２１と係止部材３との間にフランジ１１を位置させた際においては、前記板バネ部３２がフランジ１１の内面に弾性押圧されて、防音パネル２の張出部２１が支柱１のフランジ１１の外面に圧接されることにより、支柱１に固定された防音パネル２のガタツキが極めて効果的に防止される。
【００２１】
なお、防音パネル２を支柱１に固定した後、防音パネル２の破損等により、防音パネル２を支柱１から撤去する場合は、係止部材３を前記と逆方向に回動し、固定部３１を凹溝１２の外に位置させ、張出部２１と係止部材３とによる支柱１のフランジ１１への挟持を解いてやれば、防音パネル２は支柱１から外れる。
【００２２】
本形態において、係止部材３は防音パネル２の角部に取付けられ、係止部材３を回動させる際、容易に回動させることができる位置に取付けられているが、特に角部に限定されるものではなく、回動可能であれば、他の箇所に取付けてもよく、また係止部材３の形状も前記形態に限定されるものではく、回動させることにより、支柱１の凹溝１２内に突出させることができるようなものであればよく、防音パネル２に支軸により回動可能に軸着されたものであってもよい。
【００２３】
【発明の効果】
本発明による防音パネルの取付方法及び防音壁によれば、防音パネルを支柱の高さ以上に持ち上げる必要がなく、防音パネルをその取付位置まで持ち上げればよく、又係止部材は、支柱の上端から打ち込む必要はなく、回動させて支柱の凹溝内に突出させればよいので、極めて施工性のよい取付方法である。又防音パネルの破損等により、防音パネルを支柱から取り外す場合は、係止部材を前記と逆方向に回動し、支柱の凹溝内から離脱させればよいので、取り外しが極めて容易である。
【図面の簡単な説明】
【図１】本発明に係る防音パネルの取付方法によって設置された防音壁の実施の一形態を示す平面図である。
【図２】図１の主要部の斜視図である。
【図３】図１の係止部材の斜視図である。
【図４】防音パネルの取付方法を示す主要部の断面図であって、（イ）は係止部材を起立させた状態、（ロ）は回動して倒伏させた状態を示す。
【符号の説明】
１    支柱
１１  フランジ
１２  凹溝
２    防音パネル
２１  張出部
２２  切欠部
２３  壁部
３    係止部材
３１  固定部
３２  板バネ部
３３  係止部
３４  挿入部
【図１】
0003857004.tif 000002
【図２】
0003857004.tif 000003
【図３】
0003857004.tif 000004
【図４】
0003857004.tif 000005